(57)【特許請求の範囲】
【請求項１】
内容物収容空間（３１）が形成された内容器（３０）と、
前記内容器（３０）の上部に結合されて内容器（３０）を密閉させるポンプ支持台（４０）と、
前記ポンプ支持台（４０）の中央上部に設置され、内容物をポンピングするポンプ（５０）と、
前記ポンプ（５０）の上部に結合され、外側の対角線方向に向かい合う２箇所に圧迫突起（６１）が形成された分配板（６０）と、
前記分配板（６０）の上部に結合され、下端の対角線方向に向かい合う２箇所に圧迫凹部（７１）が形成されたリングボタン部材（７０）と、を含んでなり、
前記リングボタン部材（７０）を加圧し或いは前記分配板（６０）の上面を加圧してもポンピングができるように、前記分配板（６０）の圧迫突起（６１）はリングボタン部材（７０）の圧迫凹部（７１）に嵌合され、これにより、前記リングボタン部材（７０）は、前記分配板（６０）に対して回転させて傾斜させることが可能となっており、前記リングボタン部材（７０）は、リング状をなし、手前側に加圧部（７２）が形成され、前記加圧部（７２）の反対側の外側には軸突起（７３）が形成され、この軸突起（７３）が、容器本体（１０）の軸結合凹部（１６）に嵌合されており、リングボタン部材（７０）が傾いた状態で加圧されても前記リングボタン部材（７０）の圧迫凹部（７１）は前記分配板（６０）の圧迫突起（６１）の上部で空回転しながら加圧される中心を変えて前記分配板（６０）がポンプ（５０）を垂直に加圧することを特徴とする、リングボタン部材を備えたコンパクト容器。
【請求項２】
前記分配板（６０）の上面には、内容物が移動する内容物排出経路（６２）が形成されることを特徴とする、請求項１に記載のリングボタン部材を備えたコンパクト容器。
【請求項３】
前記リングボタン部材（７０）を前記分配板（６０）に対して回転させる際の回転軸に垂直な方向の寸法について、前記圧迫突起（６１）の直径は前記圧迫凹部（７１）の内径よりも小さく形成されることを特徴とする、請求項１に記載のリングボタン部材を備えたコンパクト容器。
【請求項４】
前記リングボタン部材（７０）を前記分配板（６０）に対して回転させる際の回転軸に垂直の断面において、前記分配板（６０）の圧迫突起（６１）は半円形状または円形状であり、前記リングボタン部材（７０）の圧迫凹部（７１）は半円形状または多角形状であることを特徴とする、請求項１に記載のリングボタン部材を備えたコンパクト容器。
【請求項５】
前記分配板（６０）の上面に付着すると同時に前記リングボタン部材（７０）の上部に装着され、多数の排出孔（８１）を有する排出板（８０）がさらに備えられることを特徴とする、請求項１に記載のリングボタン部材を備えたコンパクト容器。
【請求項６】
前記ポンプ（５０）は、ポンプ支持台（４０）の中央上側に形成され、底面に内容物吸入孔（５８）を有するシリンダー（５１）と、前記シリンダー（５１）の底面に装着され、前記内容物吸入孔（５８）を選択的に開閉する吸入弁板（５２）と、前記シリンダー（５１）の上端にのせられるように前記シリンダー（５１）の外側に結合されたブッシング（５３）と、前記シリンダー（５１）の内側に形成されるピストン（５４）と、前記ピストン（５４）の外側に嵌められ、前記シリンダー（５１）の内側面に密着するピストンリング（５５）と、前記ピストン（５４）の内周面に結合され、上下に移動する上下移動部材（５６）と、前記上下移動部材（５６）を弾力支持する弾性部材（５７）とから構成されることを特徴とする、請求項１に記載のリングボタン部材を備えたコンパクト容器。
【請求項７】
前記ポンプ（５０）は、行程距離が１．５ｍｍ乃至２．５ｍｍであり、前記行程距離とシリンダー（５１）の内径との比率は１．５乃至１：１３であることを特徴とする、請求項１または６に記載のリングボタン部材を備えたコンパクト容器。
【発明の詳細な説明】
【技術分野】
【０００１】
本発明は、リングボタン部材を備えたコンパクト容器に係り、さらに詳しくは、排出板の下部にリング状のリングボタン部材を形成し、前記リングボタン部材の下端の対角線方向に向かい合う２箇所に圧迫溝を形成し、前記リングボタン部材の下部に分配板を形成するが、分配板の外側の対角線方向に向かい合う２箇所に前記リングボタン部材の圧迫溝の位置に対応するように圧迫突起を形成し、前記排出板と分配板とを結合して内容物排出経路を形成することにより、内容物を吐出するためにリングボタン部材を加圧するとき、リングボタン部材が傾いた状態で加圧されても、リングボタン部材の対角線方向に形成された圧迫溝が分配板の圧迫突起の上部を加圧するにつれて分配板がポンプを垂直に加圧することができるようにする、リングボタン部材を備えたコンパクト容器に関する。
【背景技術】
【０００２】
色調化粧品とは、容姿を美しく変化させて肌を美しく演出する目的で使用されるものをいい、肌色を均一にし且つ欠点をカバーするために使用されるベースメイクアップと、唇、目、爪などに部分的に立体感を高めるために使用されるポイントメイクアップに区分される。ベースメイクアップにはメイクアップベース、ファンデーション、パウダーなどが含まれており、ポイントメイクアップには口紅、アイライナー、マスカラなどが含まれている。
【０００３】
前記ファンデーションは、化粧料のタイプによって固形ファンデーション、液状ファンデーション、ゲル状ファンデーションに区分される。固形ファンデーションの場合は、カバー力は高いものの、化粧直しの際によれてしまうという欠点があり、液状ファンデーションの場合は、密着感は良いものの、持続力が弱いという欠点がある。よって、最近、かなりの持続力を有し且つ肌への塗布時の密着感が良いゲル状ファンデーションを好む消費者が多くなった。
【０００４】
このため、ゲル状ファンデーション用容器の開発も必要になったが、一般に、ゲル状ファンデーションをガラス容器またはチューブ容器に充填し、使用の際に、使用者が手に取ったり絞り出したりしてパフまたは手を使って肌に塗布する方式で使用された。
【０００５】
ところが、従来技術は、使用者が使用するたびに手に化粧料をつけるので毎回手を洗わなければならないなど、使用上不便な点があり、前述のように化粧料の付いた手を洗うことにより化粧料が失われてしまうという問題点があった。
【０００６】
かかる問題点を解決するために、図１に示すように、本出願人は、韓国登録実用新案第２０−０４７０７５７号でエアレスポンプを有するコンパクト容器を開示したが、この従来の発明は、混合部材を加圧することにより分配板とポンプが加圧され、容器本体内に充填されたゲル化粧料が分配板上に排出されるようにした後、分配板の上部に形成された混合部材に化粧料が含浸されるようにして、前記混合部材に含浸された化粧料をユーザーがパフで取って使用するようにすることにより、使用の際に化粧料を手に付けなくても使用できるようにしたのである。
【０００７】
しかし、前記従来技術のポンプは、ピストン中心軸とシリンダー中心軸とが一致するときにのみ作動するように、上下移動部材とブッシングとの間隔をタイトに形成して上下移動部材が垂直運動するように誘導したが、ユーザーがポンプを作動するときに混合部材の真ん中を押さなければ、図２に示すように、上下移動部材が傾いて上下移動部材がブッシングに挟まれて作動しないという問題点があった。これにより、化粧品使用の際にユーザーがパフを使って混合部材の中心部を垂直に加圧しなければ化粧料がポンピングされないので、混合部材を加圧するときに加圧位置が限定されて使用上不便であるという問題点があった。
【０００８】
また、前記従来技術は、混合部材が露出しているため、化粧品使用の際に、混合部材に含浸された化粧料が汚染するだけでなく、油分、水分が揮発、蒸発することにより化粧料が乾いてしまい、化粧料の機能がまともに発揮されないという問題点があった。
【発明の概要】
【発明が解決しようとする課題】
【０００９】
本発明は、前述したような問題点を解決するために案出されたもので、その目的は、排出板の下部にリング状のリングボタン部材を形成し、前記リングボタン部材の下端の対角線方向に向かい合う２箇所に圧迫溝を形成し、前記リングボタン部材の下部に分配板を形成するが、分配板の外側の対角線方向に向かい合う２箇所に前記リングボタン部材の圧迫溝の位置に対応するように圧迫突起を形成し、前記排出板と分配板とを結合して内容物排出経路を形成することにより、内容物を吐出するためにリングボタン部材を加圧するとき、リングボタン部材が傾いた状態で加圧されても、リングボタン部材の対角線方向に形成された圧迫溝が分配板の圧迫突起の上部を加圧するにつれて分配板がポンプを垂直に加圧することができるようにする、リングボタン部材を備えたコンパクト容器を提供することにある。
【００１０】
また、本発明の他の目的は、化粧料をポンピングするためにリングボタン部材を加圧しなければならない方式にのみ限定されるものではなく、従来の如く排出板を加圧しても容易に化粧料が排出されるようにするが、ポンプのシリンダーの上部にブッシングを結合する際に上下移動部材が挿入される前記ブッシングの端部をラウンド状に形成し、前記ブッシングと上下移動部材との間に０．３ｍｍ乃至１．２ｍｍの隙間を形成して前記上下移動部材がブッシング内で遊動的に動けるようにし、ポンプの行程距離を短くすることにより、化粧品のポンピング方法が排出板の中心部を垂直に加圧しなければならないことに制限されるものではなく、排出板上のいずれの部位を加圧しても容易に化粧料が排出されるようにする、リングボタン部材を備えたコンパクト容器を提供することにある。
【００１１】
また、本発明の別の目的は、排出板を形成して、容器本体の内部に内蔵されている化粧料が空気と接触しないようにすることにより、化粧料の汚染を防止して長期間清潔かつ衛生的に使用できるようにする、リングボタン部材を備えたコンパクト容器を提供することにある。
【課題を解決するための手段】
【００１２】
本発明は、一側にボタン１１が形成された容器本体１０と、前記容器本体１０の一側にヒンジ結合されて開閉される容器蓋２０とからなるコンパクト容器であって、
内容物収容空間３１が形成された内容器３０と、
前記内容器３０の上部に結合されて内容器３０を密閉させるポンプ支持台４０と、
前記ポンプ支持台４０の中央上部に設置され、内容物をポンピングするポンプ５０と、
前記ポンプ５０の上部に結合され、外側の対角線方向に向かい合う２箇所に圧迫突起６１が形成された分配板６０と、
前記分配板６０の上部に結合され、下端の対角線方向に向かい合う２箇所に圧迫溝７１が形成されたリングボタン部材７０と、を含んでなり、
前記分配板６０の圧迫突起６１は、リングボタン部材７０の圧迫溝７１に嵌合され、前記圧迫突起６１の直径は、前記圧迫溝７１の内径よりも小さく形成されることを特徴とする、リングボタン部材を備えたコンパクト容器を提供する。
【００１３】
また、前記分配板６０の上面には、内容物が移動する内容物排出経路６２が形成されることを特徴とする。
【００１４】
また、前記リングボタン部材７０は、リング状をし、一側に加圧部７２が上方に突設され、前記加圧部７２の反対側の外側には軸突起７３が形成されることを特徴とする。
【００１５】
また、前記分配板６０の圧迫突起６１は半円形状または円形状をし、前記リングボタン部材７０の圧迫溝７１は半円形状をすることを特徴とする。
【００１６】
また、前記分配板６０の上面に付着すると同時に前記リングボタン部材７０の上部に装着され、多数の排出孔８１を有する排出板８０がさらに備えられることを特徴とする。
【００１７】
また、前記排出板８０は、分配板６０の上面に二重粘着テープによって付着することが好ましい。
【００１８】
また、前記ポンプ５０は、ポンプ支持台４０の中央上側に形成され、底面に内容物吸入孔５８を有するシリンダー５１と、前記シリンダー５１の底面に装着され、前記内容物吸入孔５８を選択的に開閉する吸入弁板５２と、前記シリンダー５１の上端にのせられるように前記シリンダー５１の外側に結合されたブッシング５３と、前記シリンダー５１の内側に形成されるピストン５４と、前記ピストン５４の外側に嵌められ、前記シリンダー５１の内側面に密着するピストンリング５５と、前記ピストン５４の内周面に結合され、上下に移動する上下移動部材５６と、前記上下移動部材５６を弾力支持する弾性部材５７とから構成されることを特徴とする。
【００１９】
また、前記上下移動部材５６の中央下側には、前記ピストン５４に結合される内側延長突環５６１が延設され、前記内側延長突環５６１の外側に一定間隔離隔して前記ピストンリング５５の外側に嵌められる外側延長突環５６２が延設されることを特徴とする。
【００２０】
また、前記ブッシング５３の中央には前記上下移動部材５６の外側延長突環５６２が貫く貫通孔５３１が形成され、前記貫通孔５３１の内側には内側水平延長片５３２が延設され、前記貫通孔５３１の外側には多数の弾性部材収容部５３３が形成され、前記弾性部材収容部５３３の外側には前記ポンプ支持台４０に挿入される外側水平延長片５３４が形成されることを特徴とする。
【００２１】
また、前記ブッシング５３の内側水平延長片５３２の内側端部は、ラウンド状に形成されることを特徴とする。
【００２２】
また、前記ブッシング５３の内側水平延長片５３２と前記上下移動部材５６の外側延長突環５６２との間には、前記上下移動部材５６がブッシング５３内で遊動的に動けるように０．３ｍｍ乃至１．２ｍｍの隙間５９が形成されることを特徴とする。
【発明の効果】
【００２３】
本発明は、排出板の下部にリング状のリングボタン部材を形成し、前記リングボタン部材の下端の対角線方向に向かい合う２箇所に圧迫溝を形成し、前記リングボタン部材の下部に分配板を形成するが、分配板の外側の対角線方向に向かい合う２箇所に前記リングボタン部材の圧迫溝の位置に対応するように圧迫突起を形成し、前記排出板と分配板とを結合して内容物排出経路を形成することにより、内容物を吐出するためのリングボタン部材を加圧するとき、リングボタン部材が傾いた状態で加圧されても、リングボタン部材の対角線方向に形成された圧迫溝が分配板の圧迫突起の上部を加圧するにつれて分配板がポンプを垂直に加圧することができるようにする、リングボタン部材を備えたコンパクト容器を提供するという効果がある。
【００２４】
また、本発明は、化粧料をポンピングするためにリングボタン部材を加圧しなければならない方式にのみ限定されるものではなく、従来の如く排出板を加圧しても容易に化粧料が排出されるようにするが、ポンプのシリンダーの上部にブッシングを結合する際に上下移動部材が挿入される前記ブッシングの端部をラウンド状に形成し、前記ブッシングと上下移動部材との間に０．３ｍｍ乃至１．２ｍｍの隙間を形成して前記上下移動部材がブッシング内で遊動的に動けるようにし、ポンプの行程距離を短くすることにより、化粧品のポンピング方法が排出板の中心部を垂直に加圧しなければならないことに制限されるものではなく、排出板上のいずれの部位を加圧しても容易に化粧料が排出されるようにする、リングボタン部材を備えたコンパクト容器を提供するという効果がある。
【００２５】
また、本発明は、排出板を形成して、容器本体の内部に内蔵されている化粧料が空気と接触しないようにすることにより、化粧料の汚染を防止して長期間清潔かつ衛生的に使用できるようにする、リングボタン部材を備えたコンパクト容器を提供するという効果がある。
【図面の簡単な説明】
【００２６】
【図１】従来のエアレスポンプを有するコンパクト容器の断面図である。
【図２】従来のエアレスポンプを有するコンパクト容器を加圧した状態を示す図である。
【図３】本発明に係るリングボタン部材を備えたコンパクト容器の斜視図である。
【図４】本発明に係るリングボタン部材を備えたコンパクト容器の分解斜視図である。
【図５】本発明に係るリングボタン部材を備えたコンパクト容器のＡ−Ａ線に沿った断面図である。
【図６】本発明に係るリングボタン部材を備えたコンパクト容器のＢ−Ｂ線に沿った断面図である。
【図７】本発明に係るリングボタン部材を備えたコンパクト容器の加圧ボタンが加圧された状態を示すＡ−Ａ線に沿った断面図である。
【図８】本発明に係るリングボタン部材を備えたコンパクト容器の加圧ボタンが加圧された状態を示すＢ−Ｂ線に沿った断面図である。
【図９】本発明に係るリングボタン部材を備えたコンパクト容器の加圧が解除された状態を示すＡ−Ａ線に沿った断面図である。
【発明を実施するための形態】
【００２７】
以下に添付図面を参照しながら、本発明に係るリングボタン部材を備えたコンパクト容器の実施例を説明する。
【００２８】
図３は本発明に係るリングボタン部材を備えたコンパクト容器の斜視図、図４は本発明に係るリングボタン部材を備えたコンパクト容器の分解斜視図、図５は本発明に係るリングボタン部材を備えたコンパクト容器のＡ−Ａ線に沿った断面図、図６は本発明に係るリングボタン部材を備えたコンパクト容器のＢ−Ｂ線断面図、図７は本発明に係るリングボタン部材を備えたコンパクト容器の加圧ボタンが加圧された状態を示すＡ−Ａ線に沿った断面図、図８は本発明に係るリングボタン部材を備えたコンパクト容器の加圧ボタンが加圧された状態を示すＢ−Ｂ線に沿った断面図、図９は本発明に係るリングボタン部材を備えたコンパクト容器の加圧が解除された状態を示すＡ−Ａ線に沿った断面図である。
【００２９】
本発明の実施例に係るリングボタン部材を備えたコンパクト容器は、図５に示すように、一側にボタン１１が形成された容器本体１０と、前記容器本体１０の一側にヒンジ結合されて開閉される容器蓋２０とからなるコンパクト容器において、内容物収容空間３１が形成された内容器３０と、前記内容器３０の上部に結合され、内容器３０を密閉させるポンプ支持台４０と、前記ポンプ支持台４０の中央上部に設置され、内容物をポンピングするポンプ５０と、前記ポンプ５０の上部に結合され、外側の対角線方向に向かい合う２箇所に圧迫突起６１が形成された分配板６０と、前記分配板６０の上部に結合され、下端の対角線方向に向かい合う２箇所に圧迫溝７１が形成されたリングボタン部材７０とを含んでなり、前記分配板６０の圧迫突起６１はリングボタン部材７０の圧迫溝７１に嵌合され、前記圧迫突起６１の直径は前記圧迫溝７１の内径よりも小さく形成されることを特徴とする。
【００３０】
前記容器本体１０の内部には、内容器３０を収容する内容器収容空間１２が形成されており、内側面には、第１装着突起１３と、前記第１装着突起１３の上側に一定間隔離隔している第２、３装着突起１４、１５とが形成される。また、ボタン１１の対角線方向の容器本体１０の内側面には、軸結合溝１６が形成される。
【００３１】
前記容器本体１０の一側にはボタン１１が一体に形成され、前記ボタン１１の上側には係止突起１７が突設されている。
【００３２】
前記容器蓋２０は容器本体１０を開閉し、容器蓋２０の一側には、前記容器本体１０の係止突起１７に対応する位置に突起形状のフック２１が形成され、前記容器本体１０の係止突起１７に締結される。
【００３３】
また、前記容器蓋２０の内側には、ユーザーが容易に化粧をすることができるように鏡２２が備えられている。
【００３４】
前記内容器３０の内側には、内容物を上方に押し上げる押上板３２が形成され、前記押上板３２は、内容器３０の内側面に密着する。
【００３５】
前記内容器３０は、内容器底面３３と、前記内容器底面３３から上方に延設された内壁３５と、前記内壁３５から外側に一定間隔離隔して形成された外壁３６とから構成される。
【００３６】
前記内容器３０の下側外周縁には装着溝３６１が形成されて前記容器本体１０の第１装着突起１３に結合され、外壁３６の内周縁には結合溝３６２が形成される。
【００３７】
また、前記内容器３０の内容器底面３３には、外部の空気が流入する空気流通孔３４が形成される。
【００３８】
前記ポンプ支持台４０は、板状に形成され、前記内容器３０の上部に結合されて内容器３０を密閉させる。
【００３９】
前記ポンプ支持台４０は、中央にシリンダー５１が一体に形成され、前記シリンダー５１の外側には、ポンプ５０のブッシング５３が結合されるブッシング結合溝４１が形成され、前記ポンプ支持台４０の外側には、下部延長突環４２が下方に延設される。
【００４０】
前記ポンプ支持台４０の下部延長突環４２の外周縁には結合突起４２１が形成されて前記内容器３０の結合溝３６２と結合され、前記結合突起４２１の上側には装着突環４２２が突設されて前記容器本体１０の第２装着突起１４と第３装着突起１５との間に挟まれる。
【００４１】
前記ポンプ５０は、内容物をポンピングし、従来のポンプの如くシリンダー５１、吸入弁板５２、ピストン５４およびピストンリング５５から形成されるが、前記ポンプ５０は、前記内容器３０内の内容物収容空間３１の面積を最大化させるために、従来のポンプとは異なり前記ポンプ支持台４０の上部に設置され、行程距離が１．５ｍｍ乃至２．５ｍｍ、前記行程距離とシリンダー５１の内径との比率が１：５乃至１：１３となり、従来のポンプに比べて著しく行程距離が短く且つシリンダー５１の内径が大きいポンプ５０で形成される。
【００４２】
従来のポンプの行程距離とシリンダーの内径との比率は、下記表１のとおりである。
【００４３】
【表１】
0006514339.tif 000002
【００４４】
表１に示すように、従来のポンプは、行程距離が３．０ｍｍ乃至６．３ｍｍとなり、ポンプの行程距離とシリンダーの内径とが１：１乃至１：３の比率となるように形成されているが、前記従来のポンプを、上下長さが短く且つ左右長さが長いコンパクトなどの容器に適用すると、前記従来のポンプが、容器本体内に形成された内容収容空間内に内蔵されて内容物収容空間の面積を多く占めるという問題点がある。
【００４５】
かかる問題点を解決するために、本発明に係る行程距離の短いポンプを備えたコンパクト容器は、ポンプ５０の行程距離を１．５ｍｍ乃至２．５ｍｍに縮小させ、シリンダー５１の内径を拡大させるために、前記行程距離とシリンダー５１の内径との比率を１：５乃至１：１３に変更させて板状のポンプ支持台４０の上部に設置することにより、前記内容器３０の内容物収容空間３１を最大限に活用できるようにしたのである。
【００４６】
前記ポンプ５０は、ポンプ支持台４０の中央上側に形成され、底面に内容物吸入孔５８を有するシリンダー５１と、前記シリンダー５１の底面に装着され、前記内容物吸入孔５８を選択的に開閉する吸入弁板５２と、前記シリンダー５１の上端にのせられるように前記シリンダー５１の外側に結合されたブッシング５３と、前記シリンダー５１の内側に形成されるピストン５４と、前記ピストン５４の外側に嵌められ、前記シリンダー５１の内側面に密着するピストンリング５５と、前記ピストン５４の内周面に結合されて上下移動する上下移動部材５６と、前記上下移動部材５６を弾力支持する弾性部材５７とから構成される。
【００４７】
前記上下移動部材５６の中央下側には、前記ピストン５４に結合される内側延長突環５６１が延設され、前記内側延長突環５６１の外側に一定間隔離隔して前記ピストンリング５５の外側に嵌められる外側延長突環５６２が延設される。
【００４８】
また、前記上下移動部材５６の中央上側には、分配板６０が結合される上部延長突環５６３が延設される。
【００４９】
前記上下移動部材５６の内側延長突環５６１の外周縁には、ポンピングされた内容物が通過する多数のスリット５６４（ｓｌｉｔ：狭い隙間）が形成される。
【００５０】
前記ピストンリング５５は、上部が外側に拡開されており、前記ピストンリング５５の上部外周縁には、密着突環５５１が突設され、前記密着突環５５１の下側には、前記シリンダー５１の内側壁に密着するピストン羽根５５２が形成される。
【００５１】
前記ブッシング５３の中央には、前記上下移動部材５６の外側延長突環５６２が貫く貫通孔５３１が形成され、前記貫通孔５３１の内側には、内側水平延長片５３２が延設され、前記貫通孔５３１の外側には、多数の弾性部材収容部５３３が形成され、前記弾性部材収容部５３３の外側には、前記ポンプ支持台４０に挿入される外側水平延長片５３４が形成される。
【００５２】
前記ブッシング５３の内側水平延長片５３２の内側端部はラウンド状に形成されることが好ましい。
【００５３】
前記ブッシング５３の内側水平延長片５３２と前記上下移動部材５６の外側延長突環５６２との間には、前記上下移動部材５６がブッシング５３内で遊動的に動けるように０．３ｍｍ乃至１．２ｍｍの隙間５９が形成されている。
【００５４】
つまり、前記ピストンリング５５の上部は、外側に拡開されており、密着突環５５１が形成されており、前記上下移動部材５６の外側延長突環５６２の内側に密着して挿入され、前記ピストンリング５５の下部は、ピストン羽根５５２が形成されており、前記シリンダー５１の内側面に密着するようにすることにより、前記上下移動部材５６が一方に傾いた状態で加圧されても、前記ピストンリング５５によってシリンダー５１の内部が密閉されてポンプ５０が正常に作動するのである。
【００５５】
したがって、ユーザーが排出板８０の中心部を垂直に加圧せずに、中心部から外れた部分を加圧して、前記上下移動部材５６が傾いても前記ピストンリング５５がシリンダー５１の内部で正常に作動して内容物が容易にポンピングされるのである。
【００５６】
前記分配板６０は、外側縁部に一対の圧迫突起６１が形成され、上面には内容物の移動する内容物排出経路６２が形成され、中央には前記上下移動部材５６の上部延長突環５６３が挿入される結合ホール６３が形成される。
【００５７】
前記分配板６０の圧迫突起６１は、リングボタン部材７０の圧迫溝７１の位置に対応するように形成され、前記リングボタン部材７０の圧迫溝７１に嵌合される。
【００５８】
前記分配板６０の圧迫突起６１は、リングボタン部材７０の圧迫溝７１内で容易に回転できるように半円形状または円形状である。
【００５９】
前記リングボタン部材７０は、リング状をし、一側に加圧部７２が上方に突設され、前記加圧部７２の反対側の外側には軸突起７３が形成されて前記容器本体１０の軸結合溝１６に嵌合される。また、前記加圧部７２と軸突起７３とを連結する方向に対して垂直をなす位置には、それぞれ一対の圧迫溝７１が形成される。
【００６０】
前記リングボタン部材７０の圧迫溝７１は、半円形状または多角形状に形成される。
【００６１】
前記分配板６０の圧迫突起６１の直径は、前記リングボタン部材７０の圧迫溝７１の内径よりも小さく形成される。
【００６２】
すなわち、前記分配板６０の圧迫突起６１が半円形状または円形状をし、前記リングボタン部材７０の圧迫溝７１が半円形状をし、前記圧迫突起６１の直径が前記圧迫溝７１の内径よりも小さく形成されて前記圧迫溝７１に嵌合されているので、ユーザーが内容物を排出するためにリングボタン部材７０の加圧部７２または排出板８０を加圧するとき、前記リングボタン部材７０または排出板８０が傾いた状態で加圧されても、前記リングボタン部材７０の圧迫溝７１が前記分配板６０の圧迫突起６１の上部で空回転しながら加圧される中心を変えることにより、前記分配板６０がポンプ５０の上下移動部材５６を垂直に加圧することができる。
【００６３】
前記分配板６０の上側には排出板８０が形成されるが、前記排出板８０は、分配板６０の上面に付着すると同時に前記リングボタン部材７０の上部に装着され、多数の排出孔８１を有する。
【００６４】
前記それぞれの排出孔８１の下側には、前記分配板６０の内容物排出経路６２に装着される排出突環８２が延設されているが、前記排出突環８２は、内容物が通過できるように外周縁の一側が開放されている。
【００６５】
前記排出板８０は、分配板６０の上面に二重粘着テープによって付着することが好ましい。
【００６６】
次に、上述のように構成されたリングボタン部材を備えたコンパクト容器の組み立て方法を説明する。
【００６７】
本発明に係るリングボタン部材を備えたコンパクト容器を組み立てるためには、まず、図４および図５に示すように、一側に容器蓋２０がヒンジ結合された容器本体１０の内部に内容器３０を装着する。
【００６８】
その後、前記内容器３０の内部に押上板３２を挿入し、内容物を注入した後、前記内容器３０の上部にポンプ支持台４０を結合させるが、前記ポンプ支持台４０の下部延長突環４２が内容器３０の内壁３５と外壁３６との間に挟まれると同時に、前記下部延長突環４２の装着突環４２２が前記容器本体１０の第２装着突起１４と第３装着突起１５との間に挟まれるように結合する。
【００６９】
次いで、前記ポンプ支持台４０の上部にポンプ５０を設置し、前記ポンプ５０の上下移動部材５６の上部に分配板６０を結合し、前記分配板６０の上部にリングボタン部材７０を装着するが、前記分配板６０の圧迫突起６１とリングボタン部材７０の圧迫溝７１との位置を合わせて装着しながら、前記リングボタン部材７０の軸突起７３を容器本体１０の軸結合溝１６に嵌合する。
【００７０】
最後に、前記排出板８０をリングボタン部材７０の上側に装着させると同時に、分配板６０の上側面に付着させることにより、本発明に係るリングボタン部材を備えたコンパクト容器の組み立てを完了する。
【００７１】
前述したような方法で組み立てられたリングボタン部材を備えたコンパクト容器の使用は、次のとおりである。
【００７２】
本発明に係るリングボタン部材を備えたコンパクト容器を使用するためには、まず、図７及び図８に示すように、リングボタン部材７０の加圧部７２または排出板８０の上面を加圧する。
【００７３】
前記加圧部７２が加圧されると、リングボタン部材７０が傾きながら下方に移動し、前記リングボタン部材７０の下側に装着された分配板６０も一緒に下方に移動する。
【００７４】
この際、前記分配板６０の圧迫突起６１が半円形状または円形状をし、前記リングボタン部材７０の圧迫溝７１が半円形状をし、前記圧迫突起６１の直径が前記圧迫溝７１の内径よりも小さく形成されて前記圧迫溝７１に嵌合されているので、前記リングボタン部材７０が傾いた状態で加圧されても、リングボタン部材７０の圧迫溝７１が前記分配板６０の圧迫突起６１の上部から加圧するにつれて前記分配板６０がポンプ５０の上下移動部材５６を垂直に加圧する。
【００７５】
そして、前記排出板８０を直接加圧するときは、前記排出板８０に結合された分配板６０が加圧されて一緒に下方に移動し、前記分配板６０に結合されたポンプ５０の上下移動部材５６が下方に移動する。
【００７６】
前記上下移動部材５６の下方移動によって、上下移動部材５６の下側に結合されているピストン５４も一緒に下方に移動し、このとき、ピストンリング５５は、シリンダー５１の内側面に密着しているので、前記ピストン５４のみが下方に移動しながらピストン５４とピストンリング５５との間に隙間が発生して内容物の排出通路が生成される。
【００７７】
その後、上下移動部材５６を押し続けると、ピストンリング５５が上下移動部材５６に当接してピストン５４と一緒に下方に移動してシリンダー５１の内部体積が減少し、これにより、シリンダー５１内に収容されていた内容物がピストン５４とピストンリング５５との間に出てきて前記上下移動部材５６のスリット５６４を通過した後、前記分配板６０の内容物排出経路６２を介して排出板８０の排出孔８１から排出される。
【００７８】
これと同時に、シリンダー５１内の吐出圧力によって、吸入弁板５２が、前記シリンダー５１の底面に形成された内容物吸入孔５８を閉鎖させる。
【００７９】
その後、前記リングボタン部材７０の加圧部７２または排出板８０の加圧を解除すると、図９に示すように、上下移動部材５６を弾力支持する弾性部材５７の弾性によって上下移動部材５６が上方に移動し、前記上下移動部材５６の下側に結合されているピストン５４が上方に移動する。このとき、前記ピストン５４の下端外側に形成された拡張突環５４１がピストンリング５５を上方に引き上げることにより、ピストン５４とピストンリング５５との間の隙間が詰まってしまい、前記ピストン５４とピストンリング５５が一緒に上方に移動するようになり、シリンダー５１の内部体積が大きくなって真空圧が発生する。
【００８０】
前記シリンダー５１の内部に発生した真空圧によって吸入弁板５２の吸入弁羽根５２１が持ち上げられながら、シリンダー５１の底面に形成された内容物吸入孔５８が開放され、これにより、内容器３０の内部に収容されていた内容物が前記内容物吸入孔５８を介してシリンダー５１の内部に流入すると同時に、前記内容器３０の内部に設置された押上板３２が上方に移動するようになる。
【００８１】
以上、本発明における説明は、リングボタン部材を備えたコンパクト容器を実施するための一つの実施例に過ぎないものであり、本発明は、この実施例に限定されるものではない。添付された許請求の範囲で請求するように、本発明の要旨を逸脱することなく、当該発明の属する分野における通常の知識を有する者であれば誰でも様々な変更実施が可能な範囲まで本発明の範囲に属するとみなされるべきである。
【符号の説明】
【００８２】
１０      容器本体
１１      ボタン
１２      内容器収容空間
１３      第１装着突起
１４      第２装着突起
１５      第３装着突起
１６      軸結合溝
１７      係止突起
２０      容器蓋
２１      フック
２２      鏡
３０      内容器
３１      内容物収容空間
３２      押上板
３３      内容器底面
３４      空気流通孔
３５      内壁
３６      外壁
３６１    装着溝
３６２    結合溝
４０      ポンプ支持台
４１      ブッシング結合溝
４２      下部延長突環
４２１    結合突起
４２２    装着突環
５０      ポンプ
５１      シリンダー
５２      吸入弁板
５３      ブッシング
５４      ピストン
５５      ピストンリング
５６      上下移動部材
５７      弾性部材
５８      内容物吸入孔
５９      隙間
５３１    貫通孔
５３２    内側水平延長片
５３３    弾性部材収容部
５３４    外側水平延長片
５５１    密着突環
５５２    ピストン羽根
５６１    内側延長突環
５６２    外側延長突環
５６３    上部延長突環
５６４    スリット
６０      分配板
６１      圧迫突起
６２      内容物排出経路
６３      結合ホール
７０      リングボタン部材
７１      圧迫溝
７２      加圧部
７３      軸突起
８０      排出板
８１      排出孔
８２      排出突環
【図１】
0006514339.tif 000003
【図２】
0006514339.tif 000004
【図３】
0006514339.tif 000005
【図４】
0006514339.tif 000006
【図５】
0006514339.tif 000007
【図６】
0006514339.tif 000008
【図７】
0006514339.tif 000009
【図８】
0006514339.tif 000010
【図９】
0006514339.tif 000011